(57)【要約】  育児食用こぼれ防止機能付哺乳瓶であって、瓶開口部の回りに第１の雄ねじを有する哺乳瓶、第１の雄ねじにねじ止めされる第１の雌ねじを有する略円筒状の第１のカバー部分を備えた下部閉止リング、さらに当該リングは、第１のカバー部分の上縁と連結されている第１の中央部分を有し、中央部分は長手方向縦軸回りに回転対称であり、瓶の内部空間から反対側を向く略平坦な第１の継手面、一方では第１の継手面と、他方では第１の中央部分の瓶の内部空間の方を向く側面とに向かって流れる少なくとも１つの第１の貫流孔とを備え、第２の雄ねじを有する略円筒状の第２のカバー部分を備えた上部閉止リング、さらに当該リングは、第２のカバー部分と連結されている第２の中央部分を有し、中央部分は長手方向縦軸回りに回転対称であり、第１の継手面に密着する着座した略平坦な第２の継手面と、一方では第２の継手面と、他方では第２の中央部分における第２の継手面とは反対方向に向く側面とに向かって流れる少なくとも１つの第２の貫流孔とを備え、貫流孔は、上部閉止リングを下部閉止リングに対して回転することによって第１の貫流孔に対して重なり合うおよび重なり合わない位置に設定することが可能であり、下部閉止リングと上部閉止リングを互に回転可能および着脱可能にする係止要素、飲用吸口、上部閉止リングの第２の雄ねじにねじ止めされて飲用吸口の下縁領域を上部閉止リングに対して着脱可能に固定するねじリングとを備える。
2009511098.tif 000002
【特許請求の範囲】
【請求項１】
育児食用こぼれ防止機能付哺乳瓶であって、
瓶開口部（１５）の回りに第１の雄ねじ（１４）を有する哺乳瓶（１０）と、
第１の雄ねじ（１４）にねじ止めされる第１の雌ねじ（２２）を有する略円筒状の第１のカバー部分（２１）を備えた下部閉止リング（２０）と、
さらに当該リングは、第１のカバー部分（２１）の上縁と連結されている第１の中央部分（２７）を有し、当該中央部分は、長手方向縦軸回りに回転対称であり、瓶の内部空間から反対側を向く略平坦な第１の継手面（２８）と、
一方では第１の継手面（２８）と、他方では第１の中央部分（２７）の瓶の内部空間の方を向く側面とに向かって流れる少なくとも１つの第１の貫流孔（２９．１、２９．２）とを備え、
第２の雄ねじ（４２）を有する略円筒状の第２のカバー部分（４１）を備えた上部閉止リング（４０）と、
さらに当該リングは、第２のカバー部分（４１）と連結されている第２の中央部分（４６）を有し、当該中央部分は、長手方向縦軸回りに回転対称であり、第１の継手面に密着する着座した略平坦な第２の継手面（４７）と、
一方では第２の継手面と、他方では第２の中央部分（４６）における第２の継手面とは反対方向に向く側面とに向かって流れる少なくとも１つの第２の貫流孔（４８．２、４８．２）とを備え、
前記貫流孔は、上部閉止リング（４０）を下部閉止リング（２０）に対して回転することによって第１の貫流孔（２９．１、２９．２）に対して重なり合うおよび重なり合わない位置に設定することが可能であり、
前記下部閉止リング（２０）と上部閉止リング（４０）を互に回転可能および着脱可能に係止するための係止要素（３２、３３、４４）と、
飲用吸口（６０）と、
前記上部閉止リング（４０）の第２の雄ねじ（４２）にねじ止めされて飲用吸口（６０）の下縁領域を上部閉止リング（４０）に対して着脱可能に固定する第２の雌ねじ（７１）を備えるねじリング（７０）と
を備えることを特徴とする育児食用こぼれ防止機能付哺乳瓶。
【請求項２】
特に請求項１に記載の育児食用こぼれ防止機能付哺乳瓶において、
瓶開口部（１５）の回りに第１の雄ねじ（１４）を有する哺乳瓶（１０）と、
第１の雄ねじ（１４）にねじ止めされる第１の雌ねじ（２２）を有する略円筒状の第１のカバー部分（２１）を備えた下部閉止リング（２０）と、
さらに当該リングは、第１のカバー部分（２１）の上縁と連結されている第１の中央部分（２７）を有し、当該中央部分は、長手方向縦軸回りに回転対称であり、瓶の内部空間から反対側を向く第１の継手面（２８）と、
一方では第１の継手面（２８）と、他方では第１の中央（２７）の瓶の内部空間の方を向く側面とに向かって流れる少なくとも１つの第１の貫流孔（２９．１、２９．２）と、
少なくとも貫流孔（２９．１、２９．２）の端縁周りで第１の継手面（２８）と哺乳瓶の上端（１６）を密着して着座する封止面とに対して射出成形され、第１の継手面（２８）から第１の貫流孔（２９．１、２９．２）を通って瓶の内部空間に向かう側面を沿って第１の中央部分（２７）の封止面まで延伸するプラスティック素材からなる軟弾性を有する封止要素（３０）とを備え、
第２の雄ねじ（２２）を有する略円筒状の第２のカバー部分（４１）を備えた上部閉止リング（４０）と、
さらに当該リングは、第２のカバー部分（４１）と連結されている第２の中央部分（４６）を有し、当該中央部分は、長手方向軸回りに回転対称であり、第１の継手面（２８）に密着する着座した第２の継手面（４７）と、
一方では第２の継手面（４７）と、他方では第２の中央部分（４６）における第２の継手面とは反対方向に向く側面とに向かって流れる少なくとも１つの第２の貫流孔（４８．２、４８．２）とを備え、
前記貫流孔は、上部閉止リング（４０）を下部閉止リング（２０）に対して回転することによって第１の貫流孔（２９．１、２９．２）に対して重なり合うおよび重なり合わない位置に設定することが可能であり、
下部閉止リング（２０）と上部閉止リング（４０）を互いに回転可能および着脱可能に係止するための係止要素（３２、３３、４４）と、
飲用吸口（６０）と、
前記上部閉止リング（４０）の第２の雄ねじ（４２）にねじ止めされて飲用吸口（６０）の下縁領域を上部閉止リング（４０）に対して着脱可能に固定する第２の雌ねじ（７１）を備えるねじリング（７０）と
を備えることを特徴とする育児食用こぼれ防止機能付哺乳瓶。
【請求項３】
特に請求項１または２に記載の育児食用こぼれ防止機能付哺乳瓶において、
瓶開口部（１５）の回りに第１の雄ねじ（１４）を有する哺乳瓶（１０）と、
第１の雄ねじ（１４）にねじ止めされる第１の雌ねじ（２２）を有する略円筒状の第１のカバー部分（２１）を備えた下部閉止リング（２０）と、
さらに当該リングは、第１のカバー部分（２１）の上縁と連結されている第１の中央部分（２７）を有し、当該中央部分は、長手方向縦軸回りに回転対称であり、瓶の内部空間から反対側を向く第１の継手面（２８）と、
一方では第１の継手面（２８）と、他方では第１の中央（２７）の瓶の内部空間の方を向く側面とに向かって流れる少なくとも１つの第１の貫流孔（２９．１、２９．２）とを備え、
第２の雄ねじ（２２）を有する略円筒状の第２のカバー部分（４１）を備えた上部閉止リング（４０）と、
さらに当該リングは、第２のカバー部分（４１）と連結されている第２の中央部分（４６）を有し、当該中央部分は、長手方向縦軸回りに回転対称であり、第１の継手面に密着する着座した第２の継手面（４７）と、
一方では第２の継手面（４７）と、他方では第２の中央部分（４６）における第２の継手面とは反対方向に向く側面とに向かって流れる、少なくとも１つの第２の貫流孔（４８．２、４８．２）とを備え、
前記貫流孔は、上部閉止リング（４０）を下部閉止リング（２０）に対して回転することによって第１の貫流孔（２９．１、２９．２）に対して重なり合うおよび重なり合わない位置に設定することが可能であり、
前記下部閉止リング（２０）と上部閉止リング（４０）を互いに回転可能および着脱可能に係止する下部閉止リング（２０）と上部閉止リング（４０）との間に設けられる差込口金（３２、３３、４４）と、
飲用吸口（６０）と、
前記上部閉止リング（４０）の第２の雄ねじ（４２）にねじ止めされて飲用吸口（６０）の下縁領域を上部閉止リング（４０）に対して着脱可能に固定する第２の雌ねじ（７１）を備えるねじリング（７０）と
を備える育児食用こぼれ防止機能付哺乳瓶。
【請求項４】
第１のカバー部分（２１）と第１の中央部分（２４）のリンク領域における下部閉止リング（２０）、および、第２のカバー部分（４１）と第２の中央部分（４６）のリンク領域における上部閉止リング（４０）は、互いに隣接して着座する第１および第２の案内面（２５、４３）を備えることを特徴とする請求項１から３のいずれか１つに記載の哺乳瓶。
【請求項５】
案内面は、下部閉止リング（２０）および上部閉止リング（４０）の第１および第２の段部（２５、４３）に設けられることを特徴とする請求項４に記載の哺乳瓶。
【請求項６】
平らな第１および／または第２の継手面（２８、４７）は、第１および／または第２の中央部分（２４、４６）の第１および／または第２の円盤状の部分に設けられることを特徴とする請求項１から５のいずれか１つに記載の哺乳瓶。
【請求項７】
第１および／または第２の中央部分（２４、２６）は、第１のおよび／または第２の円盤状の部分の外周に連結される第１および／または第２の円筒形の部分を有することを特徴とする請求項６に記載の哺乳瓶。
【請求項８】
第１および／または第２の円筒形の部分は、下方において第１および／または第２の段部（２５、４３）と連結されていることを特徴とする請求項５および７に記載の哺乳瓶。
【請求項９】
第１の段部（２５）は、その内側に封止面（３０．６）を有することを特徴とする請求項５から８のいずれか１つに記載の哺乳瓶。
【請求項１０】
第１の継手面（２８）の封止材（３０）は、第１の貫流孔（２９．１、２９．２）を含む円形面において第１の閉止リングの長手方向軸回り、および／または、第１の貫流孔（２９．１、２９．２）の周囲の内側および／または第１の貫流孔からのストライプに沿って封止面まで、および／または、円形環状である封止面に沿って延伸することを特徴とする請求項２から９のいずれか１つに記載の哺乳瓶。
【請求項１１】
第１の継手面（２８）は、封止材（３０）からなり、第１の閉止リングの長手方向軸から逸脱し、当該長手方向軸回りを螺旋状に延伸する封止リブ（３０．７）を有することを特徴とする請求項２から１０のいずれか１つに記載の哺乳瓶。
【請求項１２】
差込口金（３２、３３、４４）は、上部閉止リング上には内側に向かって突設する少なくとも１つの爪部を有し、下部閉止リングには少なくとも１つの相補的な縦溝と、縦溝の下端から延伸する少なくとも１つの相補的なリング状溝とを備えることを特徴とする請求項３から１１のいずれか１つに記載の哺乳瓶。
【請求項１３】
差込口金（３２、３３、４４）は、下部閉止リングには外側に向かって突設する少なくとも１つの爪部を有し、上部閉止リングには少なくとも１つの相補的な縦溝と、縦溝の下端から延伸する少なくとも１つの相補的なリング状溝とを備えることを特徴とする請求項３から１１のいずれか１つに記載の哺乳瓶。
【請求項１４】
リング状溝は、縦溝の隣にキャッチ突起（３４．１、３４．２）を有し、当該留め金を超えるよう爪部が弾性変形することによってねじ込み可能であることを特徴とする、請求項１２または１３に記載の哺乳瓶。
【請求項１５】
貫流孔（２９．１、２９．２、４８．１、４８．２）は、爪部がキャッチ突起の背後においてちょうどリング状溝内に嵌合した場合に重なり合うことを特徴とする請求項１４に記載の哺乳瓶。
【請求項１６】
リング状溝は、継ぎ目から縦溝の離れた反対側の端部においてストッパ（３５．１、３５．２）を備えることを特徴とする請求項１２から１５のいずれか１つに記載の哺乳瓶。
【請求項１７】
貫流孔（２９．１、２９．２、４８．１、４８．２）は、爪部がストッパに当接している場合には重なり合わないことを特徴とする請求項１６に記載の哺乳瓶。
【請求項１８】
継手（２８，４７）は、互いに割り当てられたキャッチ突起要素（３１．１、３１．２、５０．１、５０．２）を有し、これらは上部閉止リング（４０）と下部閉止リング（２０）とが開放位置および／または係止位置にある場合には互いに嵌合することを特徴とする請求項３から１７のいずれか一つに記載の哺乳瓶。
【請求項１９】
下部閉止リング（２０）は、キャッチ突起（３４．１、３４．２）に隣接して印（３６．１、３６．２）を有し、印の領域において構造的に弱められていることによって、印を押圧した場合、キャッチ突起を内側に向かって半径方向に移動させることが可能であり、爪部を少ない力でキャッチ突起を超えて縦溝内へと移動させることが可能であることを特徴とする請求項３から１８のいずれか１つに記載の哺乳瓶。
【請求項２０】
キャッチ突起（３４．１、３４．２）および／またはキャッチ突起要素（１３．１、１３．２）のうち少なくとも１つは、係止および／または非係止位置において面取りされている傾斜であることを特徴とする請求項１４から１９のいずれか１つに記載の哺乳瓶。
【請求項２１】
下部閉止リング（２０）に２つの貫流孔（２９．１、２９．２）と、上部閉止リング（４０）に２つの貫流孔（４８．１、４８．２）とを備えることを特徴とする請求項１から１９のいずれか１つに記載の哺乳瓶。
【請求項２２】
差込口金（３２、３３、４４）は、２つの爪部と、２つの関連付けられた縦溝と、２つのリング状溝とを有することを特徴とする請求項３から２１のいずれか１つに記載の哺乳瓶。
【請求項２３】
下部閉止リング（２０）および／または上部閉止リング（４０）は、単一要素あるいは複数要素からなる射出成形体であることを特徴とする請求項１から２１のいずれか１つに記載の哺乳瓶。
【発明の詳細な説明】
【技術分野】
【０００１】
本発明は、育児食用こぼれ防止機能付哺乳瓶に関するものである。
【背景技術】
【０００２】
公知である育児食糧のための哺乳瓶において、吸口はその下端において円周状の乳首フランジを有し、これがねじリングによって瓶開口部の縁に対して封止するように固定され、ねじリングが瓶の雄ねじに対してねじ止めされる。摂取の休止時間において液体がこぼれるのを防止するために、吸口のフランジと瓶縁との間に蓋を設置してねじリングによってきつく固定される。
【０００３】
ＤＥ  １０１  ５７  ０７１  Ｃ１より、より使い勝手の良い育児用食糧のためのこぼれ防止機能付哺乳瓶が公知である。この哺乳瓶は、瓶の雄ねじにねじ止めされる下部閉止リングを備え、このリングは少なくとも１つの第１の貫流孔を有する第１の継手面を備える。上部閉止リングは、少なくとも１つの第２の貫流孔を有する第２の継手面を備える。これら２つの閉止リングは、係止要素によって互い回転可能および着脱可能に係止されている。上部閉止リングを回転することによって、第１および第２の貫流孔を互いに重なり合うおよび重なり合わない位置に設定することが可能である。飲用吸口がねじリングによって上部閉止リングの雄ねじに対して螺合される。貫流孔同士が重なり合う場合、飲用吸口を介して育児用食糧を取り出すことが可能である。貫流孔同士が重なり合わない場合、飲用吸口を介した幼児用食糧の取り出しが不可能となる。
【０００４】
実施例において、閉止リングは、円錐状の継手を有する。さらに、下部閉止リングの下部と第１の継手面の上部とにおいて封止リングが設けられている。下部閉止リングは、円錐状の継手の下端から内側に向かって突設する係止突起部（a locking projection）を有し、上部閉止リングは、第２の円錐状の継手の下面から突設して（a locking projection）の背後において係止する留め具凸片（catch tongues）を有する。
【特許文献１】ＤＥ  １０１  ５７  ０７１  Ｃ１号公報
【発明の開示】
【発明が解決しようとする課題】
【０００５】
こぼれ防止機能付哺乳瓶の製造と使用は、現在でもまだ部分的に面倒である。その空間形状が複雑であるために、閉止リングにおいて汚染物が蓄積されやすい。係止突起部は、育児用食糧と接触し、取り外しのためにはこれらに触る必要がある。閉止リングの洗浄は、面倒である。
【０００６】
これらの事実に基づき、本発明の課題は、その製造と使用とが容易になるような育児食用こぼれ防止機能付哺乳瓶を提供する。
【０００７】
この課題は、請求項１に記載の育児食用こぼれ防止機能付哺乳瓶によって解消される。さらに、この課題は、請求項２に記載の哺乳瓶によって解消される。最後に、この課題は、請求項３に記載の哺乳瓶によって解消される。これら解決方法は、互いに適宜組み合わせることが可能である。これら解決方法の好ましい実施形態は、従属項において示されている。
【０００８】
請求項１は、育児食用こぼれ防止機能付哺乳瓶であって、
瓶開口部の回りに第１の雄ねじを有する哺乳瓶と、
第１の雄ねじにねじ止めされる第１の雌ねじを有する略円筒状の第１のカバー部分を備えた下部閉止リングと、
さらに当該リングは、第１のカバー部分の上縁と連結されている第１の中央部分を有し、当該中央部分は、長手方向縦軸回りに回転対称であり、瓶の内部空間から反対側を向く略平坦な第１の継手面と、
一方では第１の継手面と、他方では第１の中央部分の瓶の内部空間の方を向く側面とに向かって流れる少なくとも１つの第１の貫流孔とを備え、
第２の雄ねじを有する略円筒状の第２のカバー部分を備えた上部閉止リングと、
さらに当該リングは、第２のカバー部分と連結されている第２の中央部分を有し、当該中央部分は、長手方向縦軸回りに回転対称であり、第１の継手面に密着する着座した略平坦な第２の継手面と、
一方では第２の継手面と、他方では第２の中央部分における第２の継手面とは反対方向に向く側面とに向かって流れる少なくとも１つの第２の貫流孔とを備え、
前記貫流孔は、上部閉止リングを下部閉止リングに対して回転することによって第１の貫流孔に対して重なり合うおよび重なり合わない位置に設定することが可能であり、
前記下部閉止リングと上部閉止リングを互に回転可能および着脱可能に係止するための係止要素と、
飲用吸口と、
前記上部閉止リングの第２の雄ねじにねじ止めされて飲用吸口の下縁領域を上部閉止リングに対して着脱可能に固定する第２の雌ねじを備えるねじリングと
を備えることを特徴とする育児食用こぼれ防止機能付哺乳瓶である。
【０００９】
第１および第２の継手面を平らに設けることによって、上部および下部の閉止リングの製造が簡単になり、食糧残余および汚染物の蓄積が防止され、閉止リングの洗浄が容易となる。使用者は、こぼれ防止の機能をより容易に理解して、機能上の問題を解消することが簡単となる。さらに、継手領域において貫流孔が重なり合った場合、開放および閉止位置がよりよく認知され得るので、使用が容易となる。全体として、その製造と使用がより簡単であるこぼれ防止機能付哺乳瓶が提供される。
【００１０】
請求項２は、特に請求項１に記載の育児食用こぼれ防止機能付哺乳瓶において、
瓶開口部の回りに第１の雄ねじを有する哺乳瓶と、
第１の雄ねじにねじ止めされる第１の雌ねじを有する略円筒状の第１のカバー部分を備えた下部閉止リングと、
さらに当該リングは、第１のカバー部分の上縁と連結されている第１の中央部分を有し、当該中央部分は、長手方向縦軸回りに回転対称であり、瓶の内部空間から反対側を向く第１の継手面と、
一方では第１の継手面と、他方では第１の中央の瓶の内部空間の方を向く側面とに向かって流れる少なくとも１つの第１の貫流孔と、
少なくとも貫流孔の端縁周りで第１の継手面と哺乳瓶の上端を密着して着座する封止面とに対して射出成形され、第１の継手面から第１の貫流孔を通って瓶の内部空間に向かう側面を沿って第１の中央部分の封止面まで延伸するプラスティック素材からなる軟弾性を有する封止要素とを備え、
第２の雄ねじを有する略円筒状の第２のカバー部分を備えた上部閉止リングと、
さらに当該リングは、第２のカバー部分と連結されている第２の中央部分を有し、当該中央部分は、長手方向軸回りに回転対称であり、第１の継手面に密着する着座した第２の継手面と、
一方では第２の継手面と、他方では第２の中央部分における第２の継手面とは反対方向に向く側面とに向かって流れる少なくとも１つの第２の貫流孔とを備え、
前記貫流孔は、上部閉止リングを下部閉止リングに対して回転することによって第１の貫流孔に対して重なり合うおよび重なり合わない位置に設定することが可能であり、
下部閉止リングと上部閉止リングを互いに回転可能および着脱可能に係止するための係止要素と、
飲用吸口と、
前記上部閉止リングの第２の雄ねじにねじ止めされて飲用吸口の下縁領域を上部閉止リングに対して着脱可能に固定する第２の雌ねじを備えるねじリングと
を備えるものである。
【００１１】
この哺乳瓶において、封止要素が、継手から貫流孔を通って瓶内部に向かう側面にわたって第１の中央部分の封止面にまで延伸している。その結果、封止要素を１つの製造工程において製造することが可能であって、冒頭に述べたこぼれ防止のための別個の封止リングよりもより安価な射出成形工具を用いて製造することが可能である。さらに、貫流孔の縁を完全に取り囲む封止要素によって封止領域における汚染物の蓄積が防止される。この哺乳瓶も、全体として、その製造と使用がより簡単である。
【００１２】
請求項３は、特に請求項１または２に記載の育児食用こぼれ防止機能付哺乳瓶において、
瓶開口部の回りに第１の雄ねじを有する哺乳瓶と、
第１の雄ねじにねじ止めされる第１の雌ねじを有する略円筒状の第１のカバー部分を備えた下部閉止リングと、
さらに当該リングは、第１のカバー部分の上縁と連結されている第１の中央部分を有し、当該中央部分は、長手方向縦軸回りに回転対称であり、瓶の内部空間から反対側を向く第１の継手面と、
一方では第１の継手面と、他方では第１の中央の瓶の内部空間の方を向く側面とに向かって流れる少なくとも１つの第１の貫流孔とを備え、
第２の雄ねじを有する略円筒状の第２のカバー部分を備えた上部閉止リングと、
さらに当該リングは、第２のカバー部分と連結されている第２の中央部分を有し、当該中央部分は、長手方向縦軸回りに回転対称であり、第１の継手面に密着する着座した第２の継手面と、
一方では第２の継手面と、他方では第２の中央部分における第２の継手面とは反対方向に向く側面とに向かって流れる、少なくとも１つの第２の貫流孔とを備え、
前記貫流孔は、上部閉止リングを下部閉止リングに対して回転することによって第１の貫流孔に対して重なり合うおよび重なり合わない位置に設定することが可能であり、
前記下部閉止リングと上部閉止リングを互いに回転可能および着脱可能に係止する下部閉止リングと上部閉止リングとの間に設けられる差込口金（a bayonet catch）と、
飲用吸口と、
前記上部閉止リングの第２の雄ねじにねじ止めされて飲用吸口の下縁領域を上部閉止リングに対して着脱可能に固定する第２の雌ねじを備えるねじリングと
を備える幼児用食糧のためのこぼれ防止機能付哺乳瓶である。
【００１３】
この哺乳瓶において、下部閉止リングと上部閉止リングとの間に差込口金が設けられていることによって、係止機構を育児用食糧と接触する閉止リングの領域外に設けることが可能である。これによって汚染物が蓄積することを妨げ、こぼれ防止手段の洗浄に有する手間を少なくすることが可能である。加えて、こぼれ防止手段のバルブ領域と係止領域とを分離することによって、使用者の理解とそれに伴って哺乳瓶の操作が容易になる。さらに、差込口金を開くために使用者が食糧によって汚れた部分を触る必要がない。最後に、差込口金は、公知であるキャッチ突起要素（catching elements）が継手に形成される係止機構より安価に製造することが可能である。この解決方法もまた、その製造と使用において有利である。
【００１４】
一実施形態において、第１のカバー部分と第１の中央部分のリンク領域における下部閉止リング、および、第２のカバー部分と第２の中央部分のリンク領域における上部閉止リングは、互いに隣接して着座する第１および第２の案内面を備える。これら案内面は、閉止リングを互いに回転可能に取り付けるための支持面を形成する。これら取付および封止機能は、継手と案内面とに分割されることによってこれらの機能がより確実に得られる。
【００１５】
一実施形態において、案内面は、下部閉止リングおよび上部閉止リングの第１および第２の段部（２５、４３）に設けられている。これら段部において、閉止リングは、互いに軸方向および／または半径方向に案内される。
【００１６】
一実施形態において、平らな第１および／または第２の継手面は、第１および／または第２の中央部分の第１および／または第２の円盤状の部分に設けられている。別の実施形態において、第１および／または第２の中央部分は、第１のおよび／または第２の円盤状の部分の外周に連結される第１および／または第２の円筒形の部分を有する。さらに別の実施形態において、第１および／または第２の円筒形の部分は、下方において第１および／または第２の段部と連結されている。別の実施形態において、第１の段部は、その内側に封止面を有する。
【００１７】
一実施形態において、第１の継手面の封止材は、第１の貫流孔を含む円形面において第１の閉止リングの長手方向軸回り、および／または、第１の貫流孔の周囲の内側および／または第１の貫流孔からのストライプに沿って封止面まで、および／または、円形環状である封止面に沿って延伸する。別の実施形態において、第１の継手面は、封止材料からなり、第１の閉止リングの長手方向軸から逸脱し、当該長手方向軸回りを螺旋状に延伸する封止リブを有する。
【００１８】
一実施形態において、差込口金は、上部閉止リング上には内側に向かって突設する少なくとも１つの爪部を有し、下部閉止リングには少なくとも１つの相補的な縦溝と、縦溝の下端から延伸する少なくとも１つの相補的なリング状溝とを備える。別の実施形態において、差込口金は、下部閉止リングには外側に向かって突設する少なくとも１つの爪部を有し、上部閉止リングには少なくとも１つの相補的な縦溝と、縦溝の下端から延伸する少なくとも１つの相補的なリング状溝とを備える。
【００１９】
一実施形態において、リング状溝は、縦溝の隣にキャッチ突起部を有し、当該留め金を超えるよう爪部が弾性変形することによってねじ込み可能である。別の実施形態において、爪部がキャッチ突起部の後部でリング状溝に対してちょうど嵌合した場合には、貫流孔同士が重なり合っている。キャッチ突起部は、差込口金が意図せずして開放されないようにし、使用者に対して飲用吸口を介して食糧を取り出すことが可能な回転位置を示すものである。
【００２０】
一実施形態において、継ぎ目から縦溝の離れた反対側の端部においてストッパを備える。別の実施形態において、爪部がストッパに当接している場合、貫流孔同士は重なり合っていない。さらに、このストッパは、差込口金が不随意に外れることを防止する。さらに、このストッパは、使用者に対して貫流孔がブ係止位置にあることを示すものである。
【００２１】
本発明は、爪部がちょうどキャッチ突起部の背後においてリング状溝内に嵌合した場合には貫流孔がブ係止されていたり、爪部がストッパに当接している場合に貫流孔同士が重なり合っていたりする。すなわち前述の実施形態とは逆となる別の実施形態も含むものである。
【００２２】
別の実施形態において、継手は、互いに割り当てられたキャッチ突起部要素を有し、これらは上部閉止リングと下部閉止リングとが開放位置および／または係止位置にある場合には互いに嵌合する。これらキャッチ突起要素は、特に留めキャッチ突起部および／またはストッパと関連して閉止リングを所望の位置に固定することが可能である。
【００２３】
一実施形態において、下部閉止リングは、キャッチ突起部に隣接して印を有し、印の領域において構造的に弱められていることによって、印を押圧した場合、キャッチ突起部を内側に向かって半径方向に移動させることが可能であり、爪部を少ない力でキャッチ突起部を超えて縦溝内へと移動させることが可能である。この実施形態は、使用者にとってキャッチ突起部を乗り越えることによって差込口金を解除することが容易となる。
【００２４】
一実施形態において、キャッチ突起部および／または少なくとも１つのストップ要素が傾斜であって、係止および／または非係止方向に傾斜している。
【００２５】
別の実施形態において、下部閉止リングと上部閉止リングとは、２つの貫流孔を備える。これによって、こぼれ防止手段の開放位置において高い流量が、また閉止位置においては確実な封止が助成される。
【００２６】
別の実施形態において、差込口金は、２つの爪部と２つの縦溝と２つのリング状溝とを備える。これら差込口金の要素が左右対称に設けられると操作が容易になるのは、差込口金がほぼ１８０度の回転を経て係止または解除されるからである。
【００２７】
最後に、一実施形態において、下部閉止リングおよび／または上部閉止リングは、単一要素あるいは複数要素からなる射出成形体である。
【発明を実施するための最良の形態】
【００２８】
明細書において、「上」「下」の方向の指定は、哺乳瓶の底が水平な担体の上にあって飲用吸口が上端にある配置に関するものとする。
【００２９】
図１から４において、こぼれ防止機能付哺乳瓶１０は、下部閉止リング２０、上部閉止リング４０、飲用吸口６０およびねじリング７０を備える。
【００３０】
哺乳瓶１０は、円筒形でくびれを有する瓶本体１１を備え、その下端に底部１２と上端にネック１３を有する。ネック１３は、広いネックとして形成されているが、その下の瓶本体１１の領域よりも小さい直径を有する。ネック１３は、単一続きの第１の雄ねじ１４を有し、その上面において瓶開口部１５を有する。瓶開口部１５は、上部瓶端部１６によって囲まれている。瓶１０は、縦中心軸線１７を有する。
【００３１】
特に図５において見受けられるように、下部閉止リング２０は、実質的に円筒形である第１のカバー部分２１を備え、このカバー部分はその内周に第１の雌ねじ２２を有し、これが図１においては第１の雄ねじ１４にねじ止めされる。第１のカバー部分２１の周囲から外側かつ下向きに裾２３が半径方向に突設していることによって、瓶のネック１３を横方向から保護する。
【００３２】
下部閉止リング２０は、第１のカバー部分２１の上端に連結される複数の部分を有する第１の中央部分２４を有する：第１のカバー部分２１に接する部分において、この中央部分は、第１の段部２５を有する。
【００３３】
第１の段部２５の内周から、上方に向かって第１の円筒部分２６が延伸している。この第１の円筒部分２６の上縁に対して第１の（円形）円盤部分２７が連結されており、その上面に第１の継手面２８を有している。
【００３４】
第１の円盤部分２７は、２つの貫流孔２９．１、２９．２を有し、貫流孔は継手２８と対向する第１の円盤部分２７側に延伸する。
【００３５】
下部閉止リングは、例えばポリプロピレンなどのプラスティック素材からなる。軟弾性を有する封止要素３０が、下部閉止リング２０の上に射出成形される。この封止要素３０は、第１の継手面２８において貫流孔２９．１、２９．２を取り囲む円弧形断面３０．１を有する。さらに、この封止要素３０は、貫流孔２９．１、２９．２の内周においてそれぞれ１つのストライプ状の部分３０．２、３０．３を有する。
【００３６】
円盤部分２７の下面において、ストライプ状の部分３０．２、３０．３から延伸する、別のストライプ状の部分３０．４、３０．５が設けられており、円筒部分２６の内側に沿って下向きに延伸する。下方において、これらストライプ状の部分３０．４、３０．５は、段部２５の内側に設けられ、同一素材からなる円環状封止面と連結されている。封止要素３０は、例えば熱可塑性エラストマー（ＴＰＥ）からなる。
【００３７】
さらに、下部閉止リング２０は、封止要素の円弧形断面３０．１に螺旋状のリブ３０．７を有し、これらリブは円弧形断面３０．１の中心から円弧形断面３０．１の縁まで延伸する。
【００３８】
さらに、円盤部分２７は、その縁付近において２つの直径方向に対向する、傾斜状の係止要素３１．１、３１．２を有する。
【００３９】
下方において、第１のカバー部分２１は、２つの対向する縦溝３２．１、３２．２を有し、これら縦溝は、その下方が裾２３によって画定されており、それぞれ１つのリング状溝３３．１、３３．２に対して連結されている。これら縦溝３２．１、３２．２に加え、隣接するリング状溝３３．１、３３．２においてそれぞれ１つのキャッチ突起部（catch projection）３４．１、３４．２が設けられている。これらキャッチ突起部３４．１、３４．２は、それぞれリング状溝３３．１、３３．２に向かう面取り部分を有する。
【００４０】
リング状溝３３．１、３３．２は、それぞれ対向する端部においてストッパ３５．１、３５．２によって画定されており、これらストッパは同時にリング状溝３３．１、３３．２をそれぞれ隣接する縦溝３２．２、３２．１から分離するものである。
【００４１】
裾２３において、うね模様を有する楕円形のくぼみ３６．１、３６．２として形成された２つの印と、これに対して９０度でオフセットされた、滑らかな半円状のくぼみ３７．１、３７．２として形成されたものとからなる２つの印がそれぞれ直径方向において互いに対向する周辺領域において設けられている。楕円形のくぼみ３６．１、３６．２に対して押圧することによって、それらに隣接して設けられたキャッチ突起部３４．１、３４．２を少し内側に変位させることが可能である。
【００４２】
図６において、上部閉止リング４０は、ほぼ円筒形であり、その外周において第２の雄ねじ４２を有する第２のカバー部分４１を有する。
【００４３】
第２のカバー部分４１は、下方において第２の段部４３と連結されている。第２の段部４３は、その内周において直径方向に互いに対向する２つの突起爪部４４．１、４４．２を有する。その外方において、第２のカバー部分は、ちょうど爪部４４．１、４４．２に対向するように配置された、滑らかな半円状の深部４５．１、４５．２を有する。
【００４４】
第２のカバー部分４１は、内周において第２の中央部分４６と連結されており、この中央部分は、（円形）円盤部分によって形成されている。この円盤部分４６は、下方において第２の継手面４７を有する。この継手４７から２つの第２の貫流孔４８．１、４８．２が円盤部分にわたって延伸する。第２の貫流孔４８．１、４８．２は、下部閉止リング２０の貫流孔２９．１、２９．２と一致するように配置することが可能である。
【００４５】
第２のカバー部分４１は、上端において周方向に延伸する第２の封止面４９を有する。
【００４６】
継手に加え、円盤部分４６は、直径方向に互いに対向する、２つの係止要素５０．１、５０．２を有する。
【００４７】
上部閉止リング４０は、例えばポリプロピレンからなる。
【００４８】
図１において、飲用吸口６０は、スリット弁６２とその端部において飲用孔６４を有する乳首６３とを有するマウスピース６１と、このマウスピース６１を担持する口部６５を有する。口部６５の下端において、飲用吸口６０は、上方に向かって突起した封止ビード６７を有する、外側に向いた吸口フランジ６６を有する。飲用吸口６０は、例えばゴムあるいはシリコンゴムからなる。
【００４９】
ねじリング７０は、第２の雌ねじ７１と、上縁から内側に向かって半径方法に突出し、下面において別のリング溝７３を備えるリングフランジ７２とを有する。ねじリング７０は、雄ねじ４７に対してねじ止めされている。リングフランジ６６は、第２の閉止リング４０の上部封止面４７に対して押圧されている。封止ビード６７は、リングフランジ７２の内側における、周方向に延伸する別のリング溝７３内において固定されている。
【００５０】
ねじリング７０は、その外周において軟弾性を有するプラスティック材料からなるコーティング７４を有する。ねじリングは、例えばポリプロピレンを用いて射出成形される。軟弾性を有する材料は、例えば射出成形されるＴＰＥである。
【００５１】
図１から４における組み立てられた構造において、爪部４４．１、４４．２を有する上部閉止リング４０が縦溝３２．１、３２．２に挿入され、キャッチ突起部３４．１、３４．２を超えてリング溝３３．１、３３．２に嵌合する。この状態において、貫流孔４８．１、４８．２は、貫流孔２９．１、２９．２の上方においてこれらと重なり合うように配置されている。瓶本体１１に充填された飲用食糧は、飲用吸口６０を介して取り出される。
【００５２】
上部閉止リング４０を下部閉止リング２０に対してほぼ９０度回転させることにより、爪部４４．１、４４．２がストッパ３５．１、３５．２の上に着座することによって、貫流孔４８．１、４８．２は、貫流孔２９．１、２９．２に対してほぼ９０度回転させた位置に移動する。継手２８、４７において貫流孔４８．１、４８．２は、貫流孔２９．１、２９．２に対して封止されているので、流体が通過することは不可能である。この位置において、半円状の印３７．１、３７．２は、半円状の印４５．１、４５．２の真下に位置づけられるため、使用者は簡単にこの位置を認識あるいは触知することが可能である。この位置において、瓶本体１１内に入れられた育児用食糧は、こぼれ防止手段を通って飲用吸口６０内へと漏れることがない。
【００５３】
哺乳瓶は、ねじリング７０を上部閉止リング４０からねじって外し、下部閉止リング２０を哺乳瓶１０からねじって外すことによって容易に分解される。さらに、上部閉止リング４０を下部閉止リング２０から取り外すには、最初に爪部４４．１、４４．２がキャッチ突起部３４．１、３４．２に当接するまで上部閉止リング４０を回転させる。その後、使用者が楕円形の面３６．１、３６．２を内側に押圧してキャッチ突起部３４．１、３４．２を若干内側に変位させると爪部が容易に縦溝３２．１、３２．２内へとねじ込み可能となる。その後、上部閉止リング４０を容易に下部閉止リング２０からひっぱって外すことが可能となる。個々の部品を十分に洗浄することが可能となる。哺乳瓶の組み立ては、逆の順番で実施することが可能である。
【図面の簡単な説明】
【００５４】
以下に、本発明について実施形態を表す添付図面を参照しつつ、より詳細に説明する。以下の図面において示されている。
【図１】こぼれ防止機能付哺乳瓶および飲用吸口の縦断面図である。
【図２】下部閉止リングと上部閉止リングからなるこぼれ防止手段の正面図である。
【図３】こぼれ防止手段の上面図である。
【図４】こぼれ防止手段の平面図である。
【図５】図５ａから５ｇは、下部閉止リングの正面図（図５ａ）、上面図（図５ｂ）、平面図（図５ｃ）、側面図（図５ｄ）、図５ｄのＥ−Ｅ矢視断面図（図５ｅ）、図５ｂのＦ−Ｆ矢視断面図（図５ｆ）および斜め上側および側面から見た斜視図（図５ｇ）、
【図６】図６ａから６ｆは、下部閉止リングの正面図（図６ａ）、上面図（図６ｂ）、平面図（図６ｃ）、側面図（図６ｄ）、図６ｄのＥ−Ｅ矢視断面図（図６ｅ）、および斜め上側および側面から見た斜視図（図６ｆ）である。
【図１】
2009511098.tif 000003
【図２】
2009511098.tif 000004
【図３】
2009511098.tif 000005
【図４】
2009511098.tif 000006
【図５】
2009511098.tif 000007
【図６】
2009511098.tif 000008
【国際調査報告】
2009511098.tif 000009
2009511098.tif 000010
2009511098.tif 000011
2009511098.tif 000012